(57)【特許請求の範囲】
【請求項１】
正貨と見なされた投入硬貨をそれぞれ金種別に格別の硬貨通路へ振り分ける複数の金種振分部が配設された硬貨選別通路に、該硬貨選別通路を通過する投入硬貨を一時保留する硬貨保留部を配設するようにした硬貨処理装置において、
前記硬貨保留部を、前記硬貨選別通路に配設された複数の金種振分部のうち、最上流に位置する金種振分部に隣接して配設し、
該最上流に位置する金種振分部を、側方を開閉する第１のゲートと底面を開閉する第２のゲートとからなる全体として正面略Ｌ字形状の出没自在なレバーから構成するとともに、前記硬貨保留部を、前記側方側を開閉する前記第１のゲートに隣接して出没自在に配設し、前記硬貨保留部と前記第２のゲートとを突出させ、そこに硬貨を係合させることにより投入硬貨を一時保留するようにし、
さらに、前記硬貨保留部は、前記最上流に位置する金種振分部の第１のゲートが突出した際に、該第１のゲートを背面で支えるゲート保持部を有し、該ゲート保持部と前記硬貨保留部は、該ゲート保持部と硬貨保留部とを突出させた際に、その出没移動をロックさせる保留部駆動手段により出没駆動されることを特徴とする硬貨処理装置。
【請求項２】
前記保留部駆動手段により出没駆動される硬貨保留部は、前記第１のゲートに隣接して出没自在に配設されたピン形状の硬貨保留レバーからなり、また前記ゲート保持部も該硬貨保留レバーに隣接して出没自在に配設されたピン形状のゲート保持レバーからなることを特徴とする請求項１に記載の硬貨処理装置。
【請求項３】
前記保留部駆動手段は、前記硬貨保留レバーとゲート保持レバーとを支承するベース部と、該ベース部の出没移動とそのロックを図るリンク手段とからなることを特徴とする請求項２に記載の硬貨処理装置。
【発明の詳細な説明】
【０００１】
【発明の属する技術分野】
この発明は自動販売機、両替機、サービス機器等に使用され、投入硬貨を金種別に選別収容するとともに、選別収容された硬貨を釣銭として払い出す硬貨処理装置に関する。
【０００２】
【従来の技術】
自動販売機、両替機、サービス機器等には、従来から投入硬貨を金種別に選別収容するとともに、この選別収容された硬貨を釣銭として払い出す硬貨処理装置が装着されている。
【０００３】
このような硬貨処理装置は大別すると以下の４つの部分から構成されている。（１）硬貨処理装置の筐体を構成する装置本体。
【０００４】
（２）この装置本体の最上部に配設され、投入硬貨の正偽と正貨を金種別に選別する硬貨選別部。
【０００５】
（３）この硬貨選別部の下方に位置する前記装置本体内に配設され、この硬貨選別部により金種別に選別された正貨をそれぞれ金種別に蓄積収容する複数のコインチューブからなる硬貨収容部。
【０００６】
（４）この硬貨収容部の下方に位置する前記装置本体内に配設され、前記硬貨収容部内に収容された正貨を釣り銭として払い出す硬貨払出部。
【０００７】
一方、このような構造の硬貨処理装置を装着した自動販売機では、例えば、商品購入者が商品を購入すべく硬貨を投入した後、何等かの理由でその商品購入を停止し、硬貨の返却を希望する場合は、自動販売機に配設された硬貨返却レバーを操作する。
【０００８】
すると、硬貨処理装置は、投入金額と同額の硬貨を硬貨返却口に返却するので、投入硬貨の返却を希望する商品購入者は、その硬貨返却口に返却された硬貨を回収すれば良いこととなる。
【０００９】
ところで、上述した一般の硬貨処理装置では、このような硬貨の返却処理は、硬貨返却レバーの操作に基づき、硬貨払出部によって投入硬貨と同額の硬貨を硬貨収容部から硬貨返却口へ払い出すことにより行われている。
【００１０】
即ち、一般の硬貨処理装置では、硬貨の返却処理を行う場合、商品購入者が投入した投入硬貨そのものを硬貨返却口へ払い出すのではなく、予め硬貨収容部に収容された正貨のうち、投入金額に相当する額の硬貨を硬貨返却口へ払い出すようにしている。
【００１１】
このように、従来の硬貨処理装置では、投入硬貨を返却する場合、現実に投入された投入硬貨そのものを払出すのではなく、硬貨収容部に予め収容された硬貨の中から投入硬貨の額と同額の硬貨を払出すようにしているから、例えば、硬貨選別部により正貨と見做されるほど精巧な偽造Ａ硬貨（偽貨）が、硬貨処理装置内に投入された後、商品を購入すること無く、硬貨返却レバーを操作した場合は、偽造Ａ硬貨が投入されたにもかかわらず、投入金額に相当する額の正貨が硬貨返却口へ払い出され、このため、いわゆる硬貨のすり替え現象が発生する。
【００１２】
このような、硬貨のすり替え現象を防止するため、従来では特開平１１−２８８４８０号公報に開示されているように、正貨と見做された硬貨を金種別に振り分ける複数の金種振分レバーが配設された硬貨選別通路の下流端、即ち金種別に硬貨が最終的に振り分け案内される硬貨通路の下流端に硬貨保留レバーを配設するとともに、この硬貨保留レバーで投入硬貨を一時保留し、これにより商品を購入することなく硬貨返却レバーが操作された場合は、その硬貨保留レバーによる投入硬貨の一時保留を解除して、当該投入硬貨そのものを硬貨返却口へ払い出すようにしている。
【００１３】
従って、この特開平１１−２８８４８０号公報に開示された硬貨処理装置によれば、硬貨返却レバーを操作して硬貨を返却する場合、現実に投入された投入硬貨そのものを払出すので、仮に硬貨選別部により正貨と見做されるほど精巧に偽造された硬貨（偽貨）が投入された場合でも、その投入硬貨（偽貨）そのものが硬貨返却口へ払出されるので、硬貨のすり替え現象の発生は可及的に解消されることとなる。
【００１４】
【発明が解決しようとする課題】
ところで、最近では偽造Ａ硬貨に加え、Ａ硬貨以外の他の偽造硬貨も数多く見受けられるようになっており、このため一時保留して硬貨のすり替えを防止するための金種も増える傾向にある。
【００１５】
このように、一時保留して返却する硬貨の金種を増やす場合、上述した特開平１１−２８８４８０号公報に開示された硬貨処理装置によると、投入硬貨を一時保留するための硬貨保留レバーを、投入硬貨を金種別にそれぞれ振り分ける複数の金種振分レバーが配設された硬貨選別通路の下流端に配設するようにしているから、例えばＡ硬貨とＡ硬貨以外の他の複数の硬貨を一時保留し、これを返却する場合は、Ａ硬貨が最終的に振り分け案内される硬貨通路の下流端と、Ａ硬貨以外の他の硬貨が最終的に振り分け案内される硬貨通路の下流端とにそれぞれ専用の硬貨保留レバーを配設しなければならず、このため複数の金種の硬貨を一時保留する場合は、一時保留する金種の数だけ硬貨保留レバーを配設するので、部品点数が著しく多くなり、またこれらの複数の硬貨保留レバーの駆動手段、および駆動制御も一層煩雑となって、硬貨処理装置を製造する上で著しいコストアップの要因となっていた。
【００１６】
この発明は上述した事情に鑑み、硬貨保留レバーの数を増大させることなく、複数金種の一時保留が行える硬貨処理装置を提供することを目的とする。
【００１７】
【課題を解決するための手段】
上述した課題を解決するため、この発明では、正貨と見なされた投入硬貨をそれぞれ金種別に格別の硬貨通路へ振り分ける複数の金種振分部が配設された硬貨選別通路に、該硬貨選別通路を通過する投入硬貨を一時保留する硬貨保留部を配設するようにした硬貨処理装置において、前記硬貨保留部を、前記硬貨選別通路に配設された複数の金種振分部のうち、最上流に位置する金種振分部に隣接して配設し、該最上流に位置する金種振分部を、側方を開閉する第１のゲートと底面を開閉する第２のゲートとからなる全体として正面略Ｌ字形状の出没自在なレバーから構成するとともに、前記硬貨保留部を、前記側方側を開閉する前記第１のゲートに隣接して出没自在に配設し、前記硬貨保留部と前記第２のゲートとを突出させ、そこに硬貨を係合させることにより投入硬貨を一時保留するようにし、さらに、前記硬貨保留部は、前記最上流に位置する金種振分部の第１のゲートが突出した際に、該第１のゲートを背面で支えるゲート保持部を有し、該ゲート保持部と前記硬貨保留部は、該ゲート保持部と硬貨保留部とを突出させた際に、その出没移動をロックさせる保留部駆動手段により出没駆動されるようにしている。
【００１８】
【発明の実施の形態】
以下、この発明に係わる硬貨処理装置の一実施例を詳述する。
図１はこの発明に係わる硬貨処理装置１の概念斜視図である。
【００１９】
この硬貨処理装置１も、従来と同様に大別すると次の４部分から構成されている。
【００２０】
即ち、この硬貨処理装置１も筐体を構成する装置本体２と、この装置本体２の最上部に配設され、硬貨投入口３から投入された投入硬貨の正偽と正貨を金種別に選別する硬貨選別部４と、この硬貨選別部４の下方に配設され、硬貨選別部４により選別された正貨を金種別にそれぞれ収容する複数のコインチューブからなる硬貨収容部５と、この硬貨収容部５の下方に配設され、釣り銭の額に応じて硬貨収容部５から正貨を払出す硬貨払出部６とから構成されている。
【００２１】
なお、図１で符号７は、特に使用頻度の高い硬貨を予め収容しておく補助チューブ、符号８は硬貨処理装置１内に進入した液物（洗剤等の液体）を外部へ排除する液物排出チューブである。
【００２２】
次に、上述した硬貨処理装置１の硬貨選別部４を詳述する。
【００２３】
図２は、硬貨選別部４の概念正面図である。
【００２４】
この硬貨選別部４は、基本的に互いに径の相異なる４種類のＡ、Ｂ、Ｃ、Ｄ正貨と偽貨との選別を行うものである。
【００２５】
この硬貨選別部４の硬貨投入口３の直下には図面の右方向に傾斜した正偽貨判別硬貨通路１０が形成され、その途中には硬貨の正偽と正貨の金種とを判別する正偽貨判別センサ１１が配設されている。
【００２６】
一方、この正偽貨判別硬貨通路１０の終端には、該正偽貨判別硬貨通路１０から転送された硬貨を正偽貨に振分け、正貨と偽貨とを格別の硬貨通路へ案内する正偽貨振分部である正偽貨振分部レバー１２が配設されている。
【００２７】
なお、この正偽貨振分レバー１２は下端の軸１２ａを中心に上端が図面に対し垂直方向に開閉するタイプの振分レバーである。
【００２８】
そしてこの正偽貨振分レバー１２により、前記正偽貨判別硬貨通路１０の終端は、投入された硬貨のうち偽貨のみを案内する偽貨排出硬貨通路１３と正貨と見做された硬貨のみを案内する第１の硬貨選別通路１４とに分岐されている。
【００２９】
一方、この第１の硬貨選別通路１４の下流端には、該第１の硬貨選別通路１４内に転送された正貨と見做された硬貨、即ちＡ、Ｂ、Ｃ、Ｄ正貨の４種類の硬貨のうち、Ａ硬貨、Ｃ硬貨のグループと、Ｂ硬貨、Ｄ硬貨のグループとに振分ける第１の金種振分部である第１の金種振分レバー１５が配設され、またこの第１の金種振分レバー１５に隣接した位置には、本願発明に関わる当該第１の硬貨選別通路１４を通過する正貨と見做されたすべての金種の投入硬貨を、そこで一時保留することのできる硬貨保留部である硬貨保留レバー３０が配設されている。
【００３０】
一方、前記第１の金種振分レバー１５により前記第１の硬貨選別通路１４は硬貨グループＡ、Ｃのみを案内する図面の左側へ傾斜した第２の硬貨選別通路１６と、硬貨グループＢ、Ｄのみを案内する下方へ向けて延設された第３の硬貨選別通路１７とに分岐している。
【００３１】
なお、上述した第１の金種振分レバー１５は図２で示すように、全体として正面が略Ｌ字形状に形成されている。
【００３２】
この第１の金種振分レバー１５は、その要部斜視図で示す図３のように、硬貨選別部４のメインプレート２０表面から突出した際に、側方にある第２の硬貨選別通路１６を開放し、また図４で示すようにメインプレート２０側に吸引された際に上述した第２の硬貨選別通路１６を閉塞する第１のゲート１５ａと、図３で示すように、メインプレート２０から突出した際に、底面にある第３の硬貨選別通路１７を閉塞し、また図４で示すようにメインプレート２０側に吸引された際に上述した第３の硬貨選別通路１７を開放する第２のゲート１５ｂとから構成されている。
【００３３】
このような、第１の金種振分レバー１５によると、当該第１の金種振分レバー１５が図３で示すようにメインプレート２０から突出すると、第２の硬貨選別通路１６が開放され、かつ第３の硬貨選別通路１７が閉塞するので、硬貨グループＡ、Ｃのみが図面の左側へ傾斜した第２の硬貨選別通路１６へ案内される。
【００３４】
また、第１の金種振分レバー１５が図４で示すようにメインプレート２０側に吸引されると第２の硬貨選別通路１６が閉塞され、かつ第３の硬貨選別通路１７が開放されるので、硬貨グループＢ、Ｄのみが下方の第３の硬貨選別通路１７へ案内される。
【００３５】
一方、図３で示すように、上述した第１の金種振分レバー１５のうち、第２の硬貨選別通路１６を開閉する第１のゲート１５ａに隣接した位置には硬貨保留部である硬貨保留レバー３０が出没自在に配設されている。
【００３６】
この硬貨保留レバー３０は金属性のピンから構成され、ベースレバー３１上に植設されている。なお、このベースレバー３１上には、硬貨保留レバー３０に隣接して後述するゲート保持部である一対のゲート保持レバー３２、３３も植設されている。
【００３７】
なお、上述した硬貨保留レバー３０および一対のゲート保持レバー３２、３３は後述する保留部駆動手段より、メインプレート２０の表面側へ出没自在に駆動される。
【００３８】
従って、保留部駆動手段より、図３に示す第１の金種振分レバー１５の初期位置から、硬貨保留レバー３０および一対のゲート保持レバー３２、３３をメインプレート２０の表面へ突出させると、図５で示すように、一対のゲート保持レバー３２、３３が第１の金種振分レバー１５を構成する第１のゲート１５ａの背面を支持して、当該第１の金種振分レバー１５の前後方向への移動を規制するとともに、硬貨保留レバー３０が第２の硬貨選別通路１６の上流に突出し、これにより図２で示す、正偽貨振分レバー１２により正貨と見做されて第１の硬貨選別通路１４の下流端を通過する全てのＡ、Ｂ、Ｃ、Ｄ硬貨が、図６で示すように、第１の金種振分レバー１５の第２のゲート１５ｂと硬貨保留レバー３０とによりその進行が停止され、第１の硬貨選別通路１４の終端に一時保留される。
【００３９】
次に、上述した硬貨保留レバー３０および一対のゲート保持レバー３２、３３をメインプレート２０の表面側へ出没自在に駆動させる保留部駆動手段を詳述する。
【００４０】
図７は図６のＨＨ拡大断面図で、保留部駆動手段４０は、硬貨保留レバー３０および一対のゲート保持レバー３２、３３とを植設したベース部３１をメインプレート２０に対して垂直に出没させるリンク手段４１と、このリンク手段を駆動するリンク駆動手段４２と、メインプレート２０に対しベース部３１を垂直方向にガイドするガイド手段４３とから構成されている。
【００４１】
このうち、ガイド手段４３は、メインプレート２０に立設され、ベース部３１に嵌挿して、当該ベース部３１をメインプレート２０に対し垂直方向へガイドする円柱体４４と、該円柱体４４に嵌挿しベース部３１を常時メインプレート２０側へ付勢するコイルバネ４５と、前記円柱体４４を中心としたベース部３１の回動を阻止する一対の切り欠体４６からなり、該一対の切り欠体４６には、それぞれベース部３１の側方から突設した一対のガイド突起３１ａが嵌挿している。
【００４２】
一方、前記リンク手段４１は、前記ベース部３１の側方から突設した一対のガイド突起３１ａにそれぞれ嵌挿するガイド溝５０ａを有し、かつ軸５０ｂを中心に回動自在に支承された一対のガイドアーム５０とから構成されている。
【００４３】
なお、このガイドアーム５０の後端には次に詳述するリンク駆動手段４２が連結されている。
【００４４】
このリンク駆動手段４２は、ガイドアーム５０の後端に形成された矩形状の一対のリンク孔５０ｃにそれぞれ突起５１ａを嵌挿させたスライダー５１と、このスライダー５１を図面の左右方向へスライドさせるソレノイド５２とから構成されている。なお、スライダー５１はソレノイド５２の駆動軸５２ａに連結され、またスライダー５１はこの駆動軸５２ａに嵌挿したコイルバネ５３の付勢力により常時は図の初期位置に停止されている。
【００４５】
なお、スライダー５１の先端５１ｂは、この初期位置において、メインプレート２０に固着されたカバー５４の下面に突設されたガイド突起５４ａと、前記一対のガイドアーム５０間に形成されたガイド突起５０ｄとの間に挟持され、図面の上下方向、即ちメインプレート２０に対する垂直方向への移動が阻止されている。
【００４６】
このような、保留部駆動手段４０によると、図示せぬ制御装置からの駆動信号に基づき、リンク駆動手段４２のソレノイド５２がオンし、図８に示すように、スライダー５１が図面の左側へ水平に移動すると、スライダー５１の突起５１ａがリンク孔５０ｃに係合して、ガイドアーム５０を軸５０ｂを中心に反時計方向へ回転させるので、このガイドアーム５０の先端に形成されたガイド溝５０ａに係合するガイド突起３１ａおよびベース部３１は、円柱体４４に沿って上昇し、これにより硬貨保留レバー３０および一対のゲート保持レバー３２、３３を第２の硬貨選別通路１６から待避させて、当該第２の硬貨選別通路１６を解放する。また図示せぬ制御装置からの駆動信号に基づき、リンク駆動手段４２のソレノイド５２がオフすると、図７で示すように、ベースレバー３１は円柱体４４に嵌挿したコイルバネ４５の付勢力により、当該円柱体４４に沿ってメインプレート２０側に下降し、これにより硬貨保留レバー３０および一対のゲート保持レバー３２、３３を第２の硬貨選別通路１６内に突出させて、当該第２の硬貨選別通路１６の上流端を閉塞する。
【００４７】
なお、この図７で示すスライダー５１の停止位置では、当該スライダー５１のの先端５１ｂがカバー５４の下面に突設されたガイド突起５４ａとガイドアーム５０のガイド突起５０ｄとの間に嵌挿して、当該ガイドアーム５０の回動を阻止しているので、例えば、自動販売機を叩く等の悪戯により、第１の金種振分レバー１５が矢印Ｉ方向へ移動しようとしても、その移動を第１のゲート１５ａの背面に当接する一対のゲート保持レバー３２、３３が阻止するとともに、そのゲート保持レバー３２、３３の移動も、ベース部３１を移動させる前記ガイドアーム５０の回動規制により阻止されている。
【００４８】
従って、自動販売機を叩く等の悪戯により、第１の金種振分レバー１５の第２のゲート１５ｂと硬貨保留レバー３０とにより一時保留された硬貨（Ａ、Ｂ、Ｃ、Ｄ）がそこから脱落することはない。
【００４９】
一方、図２で示すように、前記第２の硬貨選別通路１６の下流端には、該第２の硬貨選別通路１６内に転送された硬貨グループＡ、ＣをＡ硬貨とＣ硬貨とに振り分ける第２の金種振分部である第２の金種振分レバー６０が配設されている。そして、この第２の金種振分レバー６０により前記第２の硬貨選別通路１６はＡ硬貨のみを案内する第４の硬貨選別通路６１と、Ｃ硬貨のみを案内する第５の硬貨選別通路６２とに分岐している。
【００５０】
なお、この第２の金種振分レバー６０は左端の軸６０ａを中心に右端６０ｂが図面に対し垂直方向に開閉するタイプの金種振分レバーである。
【００５１】
また、図２で示すように、前記第３の硬貨選別通路１７の下流端には、メインプレート２０の背面側に形成され、図示せぬ金庫側へ通ずる第６の硬貨選別通路６３と第７の硬貨選別通路６４とに振り分ける第３の金種振分部である第３の金種振分レバー６５が配設されている。
【００５２】
そして、この第３の金種振分レバー６５により、前述した硬貨収容部５（図１）に蓄積された特定金種の硬貨がオーバーフローした際は、そのオーバーフローした金種の硬貨を前記金庫側へ通じる第６の硬貨選別通路６３へ振分案内するとともに、硬貨収容部５（図１）に蓄積された硬貨がオーバーフローしない通常時には、第３の硬貨選別通路１７を通過した硬貨グループＢ、Ｄを第７の硬貨通路６４へ振分案内する。
【００５３】
なお、この第３の金種振分レバー６５も下端の軸６５ａを中心に上端が図面に対し垂直方向に開閉するタイプの金種振分レバーである。
【００５４】
また、図２で示すよう、第７の硬貨選別通路６４の下流端には、この第７の硬貨選別通路６４に案内される硬貨グループＢ、ＤをＢ硬貨とＤ硬貨とに振り分ける第４の金種振分部である第４の金種振分部レバー６６が配設されている。そして、この第４の金種振分レバー６６により第７の硬貨選別通路６４はＢ硬貨のみを案内する図面の左側へ傾斜した第８の硬貨選別通路６７と、メインプレート２０の背面側に形成されたＤ硬貨のみを案内する第９の硬貨選別通路６８とに分岐されている。なお、この第４の金種振分レバー６６も下端の軸６６ａを中心に上端が図面に対し垂直方向に開閉するタイプの金種振分レバーである。
【００５５】
一方、図２に示すように、前述した第４の硬貨選別通路６１の下流端には、当該第４の硬貨選別通路６１内を通過する硬貨を、Ａ硬貨のみを案内する第１０の硬貨選別通路６９と、前述した偽貨排出硬貨通路１３とも連通する後述する偽貨排出シュートに連通した第１１の硬貨選別通路７０とに分岐する第５の金種振分部である第５の金種振分レバー７１が配設されている。
【００５６】
なお、この第５の金種振分レバー７１も、下端の軸７１ａを中心に上端が図面に対し垂直方向に開閉するタイプの金種振分レバーである。
【００５７】
なお、上述した正偽貨振分レバー１２と、第１乃至第５の金種振分レバー（１５、６０、６５、６６、７０）は、周知のように図示せぬソレノイドにより開閉駆動される。
【００５８】
なお、上述した第９の硬貨選別通路６８の下流端にはＤ硬貨を収容する図示せぬコインチューブが、また第８の硬貨選別通路６７の下流端にはＢ硬貨を収容する図示せぬコインチューブが、また、第５の硬貨選別通路６２の下流端にはＣ硬貨を収容する図示せぬコインチューブが、また第１０の硬貨選別通路６９の下流端にはＡ硬貨を収容する図示せぬコインチューブがそれぞれ配設されていることはいうまでもない。  次に、上述した硬貨処理装置１の作用を説明し、併せて構成をより詳細に説明する。
【００５９】
なお、硬貨処理装置１の一時保留機能としては、正貨と見做されたＡ硬貨を一時保留する場合について説明する。
【００６０】
図２と同一部分を同一符号で示す図９のように、硬貨投入口３内に投入された硬貨Ｇが、正偽貨判別センサ１１の検出信号に基づき偽貨と判定されると、その判定信号に基づいて正偽貨振分レバー１２は偽貨排出硬貨通路１３を拡開し、同時に第１の硬貨選別通路１４の上流を閉塞する。
【００６１】
すると、正偽貨判別硬貨通路１０内を転動する偽貨Ｇは正偽貨振分レバー１２により偽貨排出硬貨通路１３に案内され、さらに、硬貨選別部４の正面に形成され、この偽貨排出硬貨通路１３に連通する偽貨排出シュート８０を介して図示せぬ硬貨返却口に返却される。
【００６２】
次に、図２と同一部分を同一符号で示す図１０のように、硬貨投入口３内に硬貨が投入され、その硬貨が正偽貨判別センサ１１の検出信号に基づき正貨であってしかもＡ硬貨と判断されると、その判定信号に基づいて図示せぬ制御装置は、正偽貨振分レバー１２を作動させ、偽貨排出硬貨通路１３の上流を閉塞して第１の硬貨選別通路１４の上流を拡開する。
【００６３】
また、同時に第１の金種振分レバー１５により、第２の硬貨選別通路１６の上流を拡開して第３の硬貨選別通路１７の上流を閉塞する。さらに、第２の金種振分レバー６０により第４の硬貨選別通路６１を拡開し、第５の硬貨選別通路６２を閉塞する。
【００６４】
さらに、上述した正偽貨判別センサ１１の検出信号に基づきＡ硬貨と判断されると、その検出信号に基づき、図示せぬ制御装置は、図７で示すように、リンク駆動手段４２のソレノイド５２をオフにして、コイルバネ４５の付勢力により硬貨保留レバー３０および一対のゲート保持レバー３２、３３を第２の硬貨選別通路１６内に突出させて、当該第２の硬貨選別通路１６の上流端を閉塞する。
【００６５】
すると、図１０で示すように、硬貨投入口３内に投入されたＡ硬貨は、第１の硬貨選別通路１４の下流端に到達した時点で、第１の金種振分レバー１５の第２のゲート１５ｂと硬貨保留レバー３０とによりその進行が停止され、当該第１の硬貨選別通路１４の終端に一時保留されることとなる。
【００６６】
なお、第１の硬貨選別通路１４の終端には図２で示すように、硬貨の通過を検出するパスセンサー１００が配設されているので、第１の硬貨選別通路１４の終端に硬貨が一時保留しているのか否かを確実に検出することができる。
【００６７】
次に、上述した硬貨処理装置１が装着された自動販売機において、商品を購入すること無く、硬貨返却レバーが操作されると、その硬貨返却レバーの操作信号に基づき図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させて、当該第２の硬貨選別通路１６の上流端を解放するとともに、同時に図１０に示す第５の金種振分レバー７１を駆動して第１０の硬貨選別通路６９の上流端を閉塞し、これにより偽貨排出シュート８０（図９）と連通する第１１の硬貨選別通路７０の上流端を解放する。
【００６８】
すると、図１１で示すように、第１の硬貨選別通路１４の終端に一時保留されたＡ硬貨は第１の金種振分レバー１５の第１のゲート１５ａを通過して、第２の硬貨選別通路１６内に転送され、さらに第２の金種振分レバー６０により、第４の硬貨選別通路６１内に転送される。さらにこの第３の硬貨選別通路６１内に転送されたＡ硬貨は、第５の金種振分レバー７１により第１１の硬貨選別通路７０へ振り分けられ、さらに、この第１１の硬貨選別通路７０を介して偽貨排出シュート８０に排出され、その後、この偽貨排出シュート８０の終端に配設された図示せぬ硬貨返却口に返却される。
【００６９】
従って、この硬貨処理装置１においても、商品を購入することなく硬貨返却レバーを操作してＡ硬貨を返却する場合、現実に投入された投入硬貨、即ち一時保留Ａ硬貨そのものを硬貨返却口へ払出すので、仮に硬貨選別部４により正貨と見做されるほど精巧に製造されたＡ硬貨（偽貨）が投入された場合でも、その投入Ａ硬貨（偽貨）そのものが硬貨返却口へ払出されるので、硬貨のすり替え現象の発生は可及的に解消されることとなる。
【００７０】
一方、図１０で示すＡ硬貨の一時保留時に、商品が購入された場合は、その商品購入信号に基づき、図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させて、当該第２の硬貨選別通路１６の上流端を解放するとともに、同時に図２で示す第５の金種振分レバー７１を駆動して第１０の硬貨選別通路６９の上流端を拡開し、さらに、偽貨排出シュート８０と連通する第１０の硬貨選別通路７０の上流端を閉塞する。  すると、図１２で示すように、第１の硬貨選別通路１４の終端に一時保留されたＡ硬貨は第１の金種振分レバー１５の第１のゲート１５ａを通過して、第２の硬貨選別通路１６内に転送され、さらに第２の金種振分レバー６０により、第４の硬貨選別通路６１内に転送される。
【００７１】
さらにこの第４の硬貨選別通路６１内に転送されたＡ硬貨は、第５の金種振分レバー７１により第１０の硬貨選別通路６９へ振り分けられ、さらに、この第１０の硬貨選別通路６９の下方に配設された図示せぬＡ硬貨専用のコインチューブ内に収容される。
【００７２】
なお、商品が購入され、釣り銭がある場合は、釣り銭の額の応じた硬貨が硬貨払出部６によって硬貨収容部５から硬貨返却口へ払出される（図１）。
【００７３】
次に、図２と同一部分を同一符号で示す図１３のように、硬貨投入口３から硬貨が投入され、その硬貨が正偽貨判別センサ１１の検出信号に基づきＣ硬貨と判断されると、その判定信号に基づいて図示せぬ制御装置は、正偽貨振分レバー１２を作動させ、偽貨排出硬貨通路１３の上流を閉塞して第１の硬貨選別通路１４の上流を拡開する。
【００７４】
また、同時に第１の金種振分レバー１５により、第２の硬貨選別通路１６の上流を拡開して第３の硬貨選別通路１７の上流を閉塞する。さらに、第２の金種振分レバー６０により第４の硬貨選別通路６１を閉塞して第５の硬貨選別通路６２を拡開する。
【００７５】
一方、上述した正偽貨判別センサ１１の検出信号に基づきＣ硬貨と判断されると、その検出信号に基づき、図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させて、当該第２の硬貨選別通路１６の上流端を解放する。
【００７６】
すると、図１３の如く、正偽貨判別硬貨通路１０を転動するＣ硬貨は正偽貨振分レバー１２により第１の硬貨選別通路１４内に案内され、さらに第１の硬貨選別通路１４に案内されたＣ硬貨は第１の金種振分レバー１５により傾斜した第２の硬貨選別通路１６に案内され、さらにこの第２の硬貨選別通路１６に案内されたＣ硬貨は第２の金種振分レバー６０により第５の硬貨選別通路６２に案内され、その下方から落下してＣ硬貨専用のコインチューブ内に蓄積収容されることとなる。
【００７７】
次に、図２と同一部分を同一符号で示す図１４のように、硬貨投入口３から硬貨が投入され、その硬貨が正偽貨判別センサー１１の検出信号に基づきＢ硬貨と判断されると、その判定信号に基づいて図示せぬ制御装置は、正偽貨振分レバー１２を作動させ、偽貨払出硬貨通路１３の上流を閉塞して第１の硬貨選別通路１４の上流を拡開するとともに、同時に第１の金種振分レバー１５が作動し第２の硬貨選別通路１６の上流を閉塞して第３の硬貨選別通路１７の上流を拡開する。なお、上述した第１の金種振分レバー１５が作動する際には、同時に図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させる。
【００７８】
さらに、図示せぬ制御装置は、同時に第３の金種振分レバー６５を作動させ、第６の硬貨選別通路６３の上流を閉塞して第７の硬貨選別通路６４の上流を拡開し、さらに、同時に第４の金種振分レバー６６を作動させて第８の硬貨選別通路６７の上流を開放して第９の硬貨選別通路６８の上流を閉塞する。
【００７９】
すると、図１４の如く、正偽貨判別硬貨通路１０内を転動するＢ硬貨は正偽貨振分レバー１２により第１の硬貨選別通路１４内に案内され、さらにこの第１の硬貨選別通路１４内に案内されたＢ硬貨は第１の金種振分レバー１５により下方の第３の硬貨選別通路１７に案内され、さらにこの第３の硬貨選別通路１７に案内されたＢ硬貨は第３の金種振分レバー６５により第７の硬貨選別通路６４に案内され、さらにこの第７の硬貨選別通路６４に案内されたＢ硬貨は第４の金種振分レバー６６により第８の硬貨選別通路６７に案内され、さらにその下方から落下してＢ硬貨専用のコインチューブ内に蓄積収容されることとなる。
【００８０】
次に、図２と同一部分を同一符号で示す図１５のように、硬貨投入口３から硬貨が投入され、その硬貨が正偽貨判別センサー１１の検出信号に基づきＤ硬貨と判断されると、その判定信号に基づいて図示せぬ制御装置は、正偽貨振分レバー１２を作動させ、偽貨払出硬貨通路１３の上流を閉塞して第１の硬貨選別通路１４の上流を拡開するとともに、同時に第１の金種振分レバー１５を作動させ、第３の硬貨選別通路１７の上流を拡開して第２の硬貨選別通路１６の上流を閉塞する。なお、上述した第１の金種振分レバー１５が作動する際には、同時に図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させる。
【００８１】
さらに、図示せぬ制御装置は同時に第３の金種振分レバー６５を作動させ、第７の硬貨選別通路６４の上流を開放して第６の硬貨選別通路６３の上流を閉塞する。さらに、同時に第４の金種振分レバー６６を作動させ、第８の硬貨選別通路６７の上流を閉塞して第９の硬貨選別通路６８の上流を開放する。
【００８２】
すると、図１５の如く、正偽貨判別硬貨通路１０内を転動するＤ硬貨は正偽貨振分レバー１２により第１の硬貨選別通路１４内に案内され、さらにこの第１の硬貨選別通路１４内に案内されたＤ硬貨は第１の金種振分レバー１５により下方の第３の硬貨選別通路１７に案内され、さらにこの第３の硬貨選別通路１７に案内されたＢ硬貨は第３の金種振分レバー６５により第７の硬貨選別通路６４に案内され、さらにこの第７の硬貨選別通路６４に案内されたＤ硬貨は第４の金種振分レバー６６により第９の硬貨選別通路６８に案内され、さらにその下方から落下してＤ硬貨専用のコインチューブ内に蓄積収容されることとなる。
【００８３】
なお、上述した硬貨選別部４の選別動作により、各Ａ、Ｂ、Ｃ、Ｄ硬貨が選別されると、各Ａ、Ｂ、Ｃ、Ｄ硬貨はそれぞれ硬貨収容部を構成する専用コインチューブ毎に順次蓄積収容されることとなる。
【００８４】
一方、この各コインチューブ毎に蓄積される硬貨の枚数が一定収容枚数を越えるとオーバーフローすることとなる。
【００８５】
そこで、この実施例の硬貨処理装置１では各専用コインチューブ毎に配設された周知のオーバーフロー検出手段により各専用コインチューブ毎に、その収容された硬貨の枚数が一定枚数に達するとそれを検知して、オーバーフロー対象の投入硬貨が投入された場合、その硬貨（但し一時保留対象のＡ硬貨を除く）を直ちに金庫側へ収容させるようにしている。
【００８６】
そこで、仮にＢ硬貨専用のコインチューブ内に蓄積収容さた硬貨の収容枚数が一定枚数に達したと図示せぬオーバーフロー検出手段により検出されたと仮定すると、上述した硬貨選別部４は以下のような選別動作を行う。
【００８７】
図２と同一部分を同一符号で示す図１６のように、硬貨投入口３から硬貨が投入され、その硬貨が正偽貨判別センサー１１の検出信号に基づきＢ硬貨と判断され、かつオーバーフロー検出手段により硬貨収容部の専用コインチューブ内に収容されたＢ硬貨の枚数が一定枚数に達したことが検知されると、これらの判定信号に基づいて図示せぬ制御装置は、正偽貨振分レバー１２を作動させ、偽貨払出硬貨通路１３の上流を閉塞して第１の硬貨選別通路１４の上流を拡開するとともに、同時に第１の金種振分レバー１５を作動させ、第３の硬貨選別通路１７の上流を拡開して第２の硬貨選別通路１６の上流を閉塞する。なお、上述した第１の金種振分レバー１５が作動する際には、同時に図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させる。
【００８８】
また制御装置は、同時に第３の金種振分レバー６５を作動させ、第６の硬貨選別通路６３の上流を拡開して第７の硬貨選別通路６４の上流を閉塞する。
【００８９】
すると、図１６の如く、正偽貨判別硬貨通路１０内を転動するＢ硬貨は正偽貨振分レバー１２により第１の硬貨選別通路１４内に案内され、さらに第１の硬貨選別通路１４内に案内されたＢ硬貨は第１の金種振分レバー１５により下方の第３の硬貨選別通路１７に案内される。さらにこの第３の硬貨選別通路１７に案内されたＢ硬貨は第３の金種振分レバー６５により第６の硬貨選別通路６３内に案内され、さらにこの第６の硬貨選別通路６３に案内されたＢ硬貨は下方に落下し、さらにこの第６の硬貨選別通路６３に連通する図示せぬシュートを介し処理装置１の下方に配設された図示せぬ金庫内に直ちに収容される。
【００９０】
なお、上述したオーバーフロー時における硬貨選別部４の硬貨選別処理は、オーバーフロー検出センサにより一定枚数に達した他の全ての硬貨（一時保留対象のＡ硬貨を除く）に対しても同様に行われる。
【００９１】
一方、一時保留対象のＡ硬貨専用コインチューブ内に蓄積収容されたＡ硬貨の収容枚数が一定枚数に達したと図示せぬオーバーフロー検出手段により検出されると、上述した硬貨選別部４は以下のような選別動作を行う。
【００９２】
図１０で示すように、硬貨投入口３から硬貨が投入され、その硬貨が正偽貨判別センサー１１の検出信号に基づきＡ硬貨と判断され、かつオーバーフロー検出手段により硬貨収容部の専用コインチューブ内に収容されたＡ硬貨の枚数が一定枚数に達したことが検知されると、これらの判定信号に基づいて図示せぬ制御装置は、正偽貨振分レバー１２を作動させ、偽貨排出硬貨通路１３の上流を閉塞して第１の硬貨選別通路１４の上流を拡開する。
【００９３】
また、同時に第１の金種振分レバー１５を作動させ、第２の硬貨選別通路１６の上流を拡開して第３の硬貨選別通路１７の上流を閉塞する。さらに、第２の金種振分レバー６０を作動させ第４の硬貨選別通路６１を拡開して第５の硬貨選別通路６２を閉塞する。
【００９４】
また図示せぬ制御装置は、図７で示すように、リンク駆動手段４２のソレノイド５２をオフにして、コイルバネ４５の付勢力により硬貨保留レバー３０および一対のゲート保持レバー３２、３３を第２の硬貨選別通路１６内に突出させて、当該第２の硬貨選別通路１６の上流端を閉塞する。
【００９５】
すると、硬貨投入口３内に投入されたＡ硬貨は、図１０で示すように第１の硬貨選別通路１４の下流端に到達した時点で、第１の金種振分レバー１５の第２のゲート１５ｂと硬貨保留レバー３０とによりその進行が停止され、当該第１の硬貨選別通路１４の終端に一時保留される。
【００９６】
即ち、上述した硬貨選別部４では、専用コインチューブ内に蓄積収容されたＡ硬貨の収容枚数が一定枚数に達したと図示せぬオーバーフロー検出手段により検出された場合でも、投入Ａ硬貨を直ちに金庫へ案内するのではなく、第１の硬貨選別通路１４の終端に一時保留する。
【００９７】
その後、上述した硬貨処理装置１が装着された自動販売機において、商品を購入すること無く、硬貨返却レバーが操作されると、その硬貨返却レバーの操作信号に基づき図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させて、当該第２の硬貨選別通路１６の上流端を解放するとともに、同時に第５の金種振分レバー７１を駆動して第１０の硬貨選別通路６９の上流端を閉塞し、これにより偽貨排出シュート８０（図９）と連通する第１１の硬貨選別通路７０の上流端を解放する。
【００９８】
すると、図１１で示すように、第１の硬貨選別通路１４の終端に一時保留されたＡ硬貨は第１の金種振分レバー１５の第１のゲート１５ａを通過して、第２の硬貨選別通路１６内に転送され、さらに第２の金種振分レバー６０により、第４の硬貨選別通路６１内に転送される。さらにこの第４の硬貨選別通路６１内に転送されたＡ硬貨は、第５の金種振分レバー７１により第１１の硬貨選別通路７０へ振り分けられ、さらに、この第１１の硬貨選別通路７０を介して偽貨排出シュート８０に排出され、その後、この偽貨排出シュート８０の終端に配設された図示せぬ硬貨返却口に返却される。
【００９９】
従って、専用コインチューブ内に収容されたＡ硬貨の枚数が一定枚数に達した後、新たにＡ硬貨を投入した場合であっても、商品を購入することなく硬貨返却レバーを操作して投入硬貨を返却する場合、現実に投入された投入硬貨、即ち一時保留Ａ硬貨そのものを硬貨返却口へ払出すので、仮に硬貨選別部により正貨と見做されるほど精巧に偽造されたＡ硬貨（偽貨）がオーバーフローした後に投入された場合でも、その投入Ａ硬貨（偽貨）そのものが硬貨返却口へ払出されるので、硬貨のすり替え現象の発生は可及的に解消されることとなる。
【０１００】
一方、図１０で示すＡ硬貨の一時保留時に、商品が購入された場合は、その商品購入信号に基づき、図示せぬ制御装置は、図１６と同一部分を同一符号で示す図１７で示すように、第１の金種振分レバー１５を作動させ、第３の硬貨選別通路１７の上流を拡開して第２の硬貨選別通路１６の上流を閉塞する。なお、上述した第１の金種振分レバー１５が作動する際には、同時に図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させる。
【０１０１】
また制御装置は、同時に第３の金種振分レバー６５を作動させ、第６の硬貨選別通路６３の上流を拡開して第７の硬貨選別通路６４の上流を閉塞する。
【０１０２】
すると、図１７の如く、第１の硬貨選別通路１４の終端に一時保留されたＡ硬貨は第１の金種振分レバー１５により下方の第３の硬貨選別通路１７に案内される。さらにこの第３の硬貨選別通路１７に案内されたＡ硬貨は第３の金種振分レバー６５により第６の硬貨選別通路６３内に案内され、さらにこの第６の硬貨選別通路６３に案内されたＡ硬貨は下方に落下し、さらにこの第６の硬貨選別通路６３に連通する図示せぬシュートを介し処理装置１の下方に配設された図示せぬ金庫内に収容される。
【０１０３】
従って、上述した構成によると、商品購入後は、専用コインチューブ内でオーバーフローした後に投入された投入Ａ硬貨は図示せぬ金庫内に収容されることとなる。
【０１０４】
なお、上記実施例では一時保留対象硬貨としてＡ硬貨を一時保留する場合について説明したが、上述した構造の硬貨処理装置１によると、一時保留対象硬貨としてＣ硬貨を一時保留する場合であっても全くその構造を変更する必要はない。即ち、Ｃ硬貨を一時保留する場合は、図１０と同一部分を同一符号で示す図１８で示すように、硬貨投入口３内に硬貨が投入され、その硬貨が正偽貨判別センサ１１の検出信号に基づき正貨であってしかもＣ硬貨と判断されると、図示せぬ制御装置はその判定信号に基づいて正偽貨振分レバー１２を作動させ、偽貨排出硬貨通路１３の上流を閉塞して第１の硬貨選別通路１４の上流を拡開する。
【０１０５】
また、図示せぬ制御装置は、図７で示すように、リンク駆動手段４２のソレノイド５２をオフにして、コイルバネ４５の付勢力により硬貨保留レバー３０および一対のゲート保持レバー３２、３３を第２の硬貨選別通路１６内に突出させて、当該第２の硬貨選別通路１６の上流端を閉塞する。
【０１０６】
すると、図１８で示すように、硬貨投入口３内に投入されたＣ硬貨は、第１の硬貨選別通路１４の下流端に到達した時点で、第１の金種振分レバー１５の第２のゲート１５ｂと硬貨保留レバー３０とによりその進行が停止され、当該第１の硬貨選別通路１４の終端に一時保留されることとなる。
【０１０７】
次に、上述した硬貨処理装置１が装着された自動販売機において、商品を購入すること無く、硬貨返却レバーが操作されると、その硬貨返却レバーの操作信号に基づき図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させて、当該第２の硬貨選別通路１６の上流端を解放するとともに、同時に第５の金種振分レバー７１を駆動して第１０の硬貨選別通路６９の上流端を閉塞し、これにより偽貨排出シュート８０（図９）と連通する第１１の硬貨選別通路７０の上流端を解放する。
【０１０８】
すると、図１９で示すように、第１の硬貨選別通路１４の終端に一時保留されたＣ硬貨は第１の金種振分レバー１５の第１のゲート１５ａを通過して、第２の硬貨選別通路１６内に転送され、さらに第２の金種振分レバー６０により、第３の硬貨選別通路６１内に転送される。さらにこの第４の硬貨選別通路６１内に転送されたＣ硬貨は、第５の金種振分レバー７１により第１１の硬貨選別通路７０へ振り分けられ、さらに、この第１１の硬貨選別通路７０を介して偽貨排出シュート８０に排出され、その後、この偽貨排出シュート８０の終端に配設された図示せぬ硬貨返却口に返却される。
【０１０９】
従って、この硬貨処理装置１によると、商品を購入することなく硬貨返却レバーを操作してＣ硬貨を返却する場合、現実に投入された投入硬貨、即ち一時保留Ｃ硬貨そのものを硬貨返却口へ払出すので、仮に硬貨選別部により正貨と見做されるほど精巧に製造されたＣ硬貨（偽貨）が投入された場合でも、その投入Ｃ硬貨（偽貨）そのものが硬貨返却口へ払出されるので、硬貨のすり替え現象の発生は可及的に解消されることとなる。
【０１１０】
一方、図１８で示すＣ硬貨の一時保留時に、商品が購入された場合は、その商品購入信号に基づき、図示せぬ制御装置は、図１３で示すように、第１の金種振分レバー１５を作動させ、第２の硬貨選別通路１６の上流を閉塞して第３の硬貨選別通路１７の上流を拡開する。なお、上述した第１の金種振分レバー１５が作動する際には、同時に図示せぬ制御装置は、図８で示すように、リンク駆動手段４２のソレノイド５２をオンし、これにより硬貨保留レバー３０および一対のゲート保持レバー３２、３３を第２の硬貨選別通路１６から待避させる。
【０１１１】
さらに、図示せぬ制御装置は、同時に第３の金種振分レバー６５を作動させ、第６の硬貨選別通路６３の上流を閉塞して第７の硬貨選別通路６４の上流を拡開し、さらに、同時に第４の金種振分レバー６６を作動させて第８の硬貨選別通路６７の上流を開放して第９の硬貨選別通路６８の上流を閉塞する。
【０１１２】
すると、一時保留されたＣ硬貨は、図１３の如く第２の金種振分レバー６０により第５の硬貨選別通路６２に案内され、その下方から落下してＣ硬貨専用のコインチューブ内に蓄積収容されることとなる。
【０１１３】
なお、上述した投入硬貨の一時保留と、その後の一連の硬貨処理は、一時保留対象の硬貨を選択し、それに応じて前述した各種レバーの動作を制御する図示せぬ制御装置の設定変更により、上述したＡ硬貨、Ｃ硬貨のみにかかわらず、それ以外の全ての硬貨に対して行なうことができる。
【０１１４】
したがって、上述した硬貨処理装置１では、内部の構造を全く変化させることなく、単に制御装置の設定変更を行なうだけで、複数金種の投入硬貨を一時保留することができ、また商品を購入することなく返却レバーを操作した場合は、この一時保留された複数金種の投入硬貨そのものを返却するすることができることとなる。
【０１１５】
【発明の効果】
以上説明したように、この発明の硬貨処理装置によると、正貨と見なされた投入硬貨をそれぞれ金種別に格別の硬貨通路へ振り分ける複数の金種振分部が配設された硬貨選別通路の最上流に位置する金種振分部に隣接して、投入硬貨を一時保留する硬貨保留部を配設するようにしたから、複数の金種の硬貨を一時保留する場合であっても、従来の如く金種の数だけ硬貨保留レバーを配設する必要はなく、このため部品点数が少なく、しかも各種レバーの同手段及び駆動制御も簡単となって、複数の金種の硬貨を一時保留する硬貨処理装置を安価に提供することができる。
【図面の簡単な説明】
【図１】図１はこの発明に関わる硬貨処理装置の概念斜視図。
【図２】図２はこの発明に関わる硬貨処理装置の硬貨選別部を示す概念正面図。
【図３】図３は硬貨保留部を示す要部破断斜視図。
【図４】図４は硬貨保留部を示す要部破断斜視図。
【図５】図５は硬貨保留部の動作を示す要部破断斜視図。
【図６】図６は硬貨保留部の動作を示す要部破断斜視図。
【図７】図７は保留部駆動手段の拡大断面図。
【図８】図８は保留部手段駆動手段の拡大断面図。
【図９】図９は偽貨の硬貨処理を示す硬貨選別部の概念正面図。
【図１０】図１０は一時保留Ａ硬貨の硬貨処理を示す硬貨選別部の概念正面図。
【図１１】図１１は一時保留Ａ硬貨の硬貨処理を示す硬貨選別部の概念正面図。
【図１２】図１２は一時保留Ａ硬貨の硬貨処理を示す硬貨選別部の概念正面図。
【図１３】図１３はＣ硬貨の硬貨処理を示す硬貨選別部の概念正面図。
【図１４】図１４はＢ硬貨の硬貨処理を示す硬貨選別部の概念正面図。
【図１５】図１４はＤ硬貨の硬貨処理を示す硬貨選別部の概念正面図。
【図１６】図１６はＢ硬貨の硬貨処理を示す硬貨選別部の概念正面図
【図１７】図１７はオーバーフロー時の一時保留Ａ硬貨の硬貨処理を示す硬貨選別部の概念正面図。
【図１８】図１８は一時保留Ｃ硬貨の硬貨処理を示す硬貨選別部の概念正面図。
【図１９】図１９は一時保留Ｃ硬貨の硬貨処理を示す硬貨選別部の概念正面図。
【符号の説明】
１…硬貨処理装置
１５…最上流に位置する金種振分部（金種振分レバー）
１５ａ…第１のゲート
１５ｂ…第２のゲート
３０…硬貨保留部（硬貨保留レバー）
３１…ベース部
３２、３３…ゲート保持部（ゲート保持部レバー）
４０…保留部駆動手段
４１…リンク手段
【図１】
0003926956.tif 000002
【図２】
0003926956.tif 000003
【図３】
0003926956.tif 000004
【図４】
0003926956.tif 000005
【図５】
0003926956.tif 000006
【図６】
0003926956.tif 000007
【図７】
0003926956.tif 000008
【図８】
0003926956.tif 000009
【図９】
0003926956.tif 000010
【図１０】
0003926956.tif 000011
【図１１】
0003926956.tif 000012
【図１２】
0003926956.tif 000013
【図１３】
0003926956.tif 000014
【図１４】
0003926956.tif 000015
【図１５】
0003926956.tif 000016
【図１６】
0003926956.tif 000017
【図１７】
0003926956.tif 000018
【図１８】
0003926956.tif 000019
【図１９】
0003926956.tif 000020